(57)【特許請求の範囲】
【請求項１】
容器口筒部に螺合されるキャップ本体と、前記キャップ本体に取り付けられる上蓋と、前記上蓋の内側に配置される内側部材とを備え、前記上蓋に対して前記内側部材を下方に移動させることで前記上蓋の内側に収容された副剤を注出可能な二剤混合キャップであって、
前記キャップ本体は、前記容器口筒部への取り付け状態で前記容器口筒部を密閉するように形成されているとともに、下方に移動する前記内側部材によって破断される位置に弱化部を有し、
前記キャップ本体と前記内側部材と前記上蓋との間には、キャップ一体化機構が設けられ、
前記キャップ一体化機構は、前記上蓋を一方向に回転させた時に前記上蓋に対して前記内側部材を下方に移動させ、かつ、前記上蓋に対して前記内側部材を下方に移動させた状態で前記上蓋を他方向に回転させた時に、前記キャップ本体と前記内側部材と前記上蓋とを一体化させ、前記容器口筒部から前記二剤混合キャップを取り外すことを可能にするとともに、前記上蓋に対して前記内側部材を下方に移動させた状態で、前記上蓋を前記一方向に回転させた時に、前記キャップ本体と前記内側部材と前記上蓋とを一体化させ、前記容器口筒部に対して前記二剤混合キャップを取り付けることを可能にするように構成されていることを特徴とする二剤混合キャップ。
【請求項２】
前記キャップ一体化機構は、
前記上蓋と前記内側部材との間に形成され、前記内側部材に対して前記上蓋を前記一方向に回転させた時に、前記上蓋に対して前記内側部材を下方に移動させる螺合部と、
前記キャップ本体と前記内側部材との間に形成され、前記キャップ本体に対する前記内側部材の前記一方向への回転を規制する回転規制部と、
前記上蓋と前記キャップ本体との間に形成され、前記キャップ本体に対する前記上蓋の前記一方向への回転を許容するとともに他方向への回転を阻止するワンウェイクラッチ部と、
から構成されていることを特徴とする請求項１に記載の二剤混合キャップ。
【請求項３】
前記内側部材は、前記螺合部を構成する内側部材側ネジ部と、前記回転規制部を構成する内側部材側係合部とを有し、
前記内側部材側ネジ部は、前記上蓋に対して前記内側部材を最上部に配置させた状態および最下部に配置させた状態のいずれの状態でも、前記上蓋に形成された上蓋側ネジ部に係合する上下寸法で設計され、
前記内側部材側係合部は、前記上蓋に対して前記内側部材を最上部に配置させた状態および最下部に配置させた状態のいずれの状態でも、前記キャップ本体に形成された本体側係合部に係合する上下寸法で設計されていることを特徴とする請求項２に記載の二剤混合キャップ。
【請求項４】
前記上蓋は、前記キャップ本体に被せられるスカート部を有し、
前記ワンウェイクラッチ部は、前記キャップ本体の外周面に凸状に形成された本体側歯部と、前記スカート部の内周面に凸状に形成され前記本体側歯部に噛合可能な上蓋側歯部とから構成され、
前記キャップ本体の外周面または前記スカート部の内周面には、前記上蓋側歯部または前記本体側歯部の上下移動を規制する規制凸部が形成されていることを特徴とする請求項２または請求項３に記載の二剤混合キャップ。
【請求項５】
前記キャップ本体は、受容凹部を上面側に有し、
前記内側部材は、前記受容凹部内に挿入される挿入部を有し、
前記回転規制部は、前記受容凹部の内周面に形成された本体側係合部と、前記挿入部の外周面に形成され前記本体側係合部に係合する内側部材側係合部とから構成されていることを特徴とする請求項２乃至請求項４のいずれかに記載の二剤混合キャップ。
【請求項６】
前記内側部材は、前記上蓋に対して前記内側部材を最上部に配置させた状態で前記上蓋に接触する第１シール部と、前記上蓋に対して前記内側部材を最下部に配置させた状態で前記キャップ本体に接触する第２シール部とを有していることを特徴とする請求項１乃至請求項５のいずれかに記載の二剤混合キャップ。
【発明の詳細な説明】
【技術分野】
【０００１】
本発明は、二剤混合キャップに関する。
【背景技術】
【０００２】
従来、キャップ内に副剤（添加物）を注出可能に収容し、使用直前等のタイミングでキャップ内の副剤を注出させて、容器内容物に副剤を混合させることが可能な二剤混合キャップが公知である。
【０００３】
このような二剤混合キャップとして、容器の口部内壁に沿って配置される内周壁を有し、この内周壁に一体連結する外周壁を容器の口部外側に螺合するベースと、内周壁の上端開口の外側にて回転可能に抜け止め保持され、その内側に内周壁の下端開口に向けて開放された内筒を有する回転カバー体と、回転カバー体の内筒に配置され、その内部に副剤を収納する内容器体とを備えた二剤混合キャップが知られている（例えば、特許文献１参照）。
【０００４】
この特許文献１に記載の二剤混合キャップでは、内筒の内壁に、少なくとも１つの突起を設け、また、ベースの内周壁に、その下端開口で脱落可能に嵌合され、回転カバー体に向かうカッターを備えた底蓋を設けるとともに、その上端開口から下端開口へ向かってストレートに伸延する少なくとも一本の縦溝を設け、また、内容器体に、内周壁の縦溝に適合する凸部と、内筒の内壁に設けられた突起に連係するとともにその胴部外表面で底部から上部に向けて伸延する傾斜溝を配設してなり、また、底蓋が、内容器体の下降により、内容器体の下端部に当接して内周壁の下端開口での嵌合を解除するとともに内容器体から排出された内容物を容器内へ落下させる押圧片を有している。
【０００５】
そして、このように構成された特許文献１に記載の二剤混合キャップでは、回転カバー体を内周壁の上端開口において回転させると、内容器体の胴部外表面に設けられた傾斜溝に連係する内筒内の突起が傾斜溝に沿って移動して、内容器体が下向きにスライドすることとなり、カッターによる切断にて内容器体が開封され、底蓋の押圧片との当接により該底蓋の内周壁に対する嵌合が解除され、副剤が容器内へと落下する。
【先行技術文献】
【特許文献】
【０００６】
【特許文献１】特開２００７−２９０７５８号公報
【発明の概要】
【発明が解決しようとする課題】
【０００７】
ところが、特許文献１に記載の二剤混合キャップでは、副剤注出後において、容器に対して二剤混合キャップを着脱しようとした場合、副剤注出時に操作する回転カバー体とは別部品である、容器口筒部に螺合するベースを直接的に回転操作しなければならないため、副剤注出時に操作する部品と二剤混合キャップの着脱時に操作する部品とが異なることになり、二剤混合キャップの操作が複雑になるという問題がある。
【０００８】
そこで、本発明は、これらの問題点を解決するものであり、副剤注出操作および副剤注出後における容器に対する着脱操作を容易かつ円滑に行うことが可能な二剤混合キャップを提供することを目的とするものである。
【課題を解決するための手段】
【０００９】
本発明の二剤混合キャップは、容器口筒部に螺合されるキャップ本体と、前記キャップ本体に取り付けられる上蓋と、前記上蓋の内側に配置される内側部材とを備え、前記上蓋に対して前記内側部材を下方に移動させることで前記上蓋の内側に収容された副剤を注出可能な二剤混合キャップであって、前記キャップ本体は、前記容器口筒部への取り付け状態で前記容器口筒部を密閉するように形成されているとともに、下方に移動する前記内側部材によって破断される位置に弱化部を有し、前記キャップ本体と前記内側部材と前記上蓋との間には、キャップ一体化機構が設けられ、前記キャップ一体化機構は、前記上蓋を一方向に回転させた時に前記上蓋に対して前記内側部材を下方に移動させ、かつ、前記上蓋に対して前記内側部材を下方に移動させた状態で前記上蓋を他方向に回転させた時に、前記キャップ本体と前記内側部材と前記上蓋とを一体化させ、前記容器口筒部から前記二剤混合キャップを取り外すことを可能にするとともに、前記上蓋に対して前記内側部材を下方に移動させた状態で、前記上蓋を前記一方向に回転させた時に、前記キャップ本体と前記内側部材と前記上蓋とを一体化させ、前記容器口筒部に対して前記二剤混合キャップを取り付けることを可能にするように構成されていることにより、前記課題を解決するものである。
【００１０】
なお、本明細書内における用語「開方向」は、容器口筒部に螺合されるキャップ本体を容器口筒部から取り外す際にキャップ本体を回転させる方向のことを意味し、また、用語「閉方向」は、キャップ本体を容器口筒部に取り付ける際にキャップ本体を回転させる方向のことを意味する。
【発明の効果】
【００１１】
本請求項１に係る発明によれば、上蓋を一方向に回転させた時に、上蓋に対して内側部材を下方に移動させるとともに、上蓋に対して内側部材を下方に移動させた状態で、上蓋を一方向および他方向に回転させた時に、キャップ本体と内側部材と上蓋とを一体化させることが可能である。
これにより、副剤注出時に、上蓋を回転させる操作を行うことによって、上蓋に対して内側部材を下方に移動させて、キャップ本体の弱化部を破断させ、上蓋の内側に収容された副剤を容器内に注出することができるとともに、副剤注出後において、キャップ本体と内側部材と上蓋とを一体化させ、副剤注出時と同様に上蓋を回転させることで、容器口筒部に対する二剤混合キャップの着脱を行うことができるため、上蓋を回転させるという簡単な操作のみによって、副剤注出、および、容器口筒部に対する二剤混合キャップの着脱を容易かつ円滑に達成することができる。
また、キャップ本体が容器口筒部への取り付け状態で容器口筒部を密閉するように形成されていることにより、容器に対してキャップ本体のみを装着した状態で、容器口筒部を密閉することが可能であるため、キャップ本体のみを装着した容器と、上蓋と内側部材とから成り副剤を収容したキャップユニットとを個別に流通させることができる。
【００１２】
本請求項２に係る発明によれば、上蓋と内側部材との間に、内側部材に対して上蓋を一方向に回転させた時に上蓋に対して内側部材を下方に移動させる螺合部が形成され、キャップ本体と内側部材との間に、キャップ本体に対する内側部材の一方向への回転を規制する回転規制部が形成され、上蓋とキャップ本体との間に、キャップ本体に対する上蓋の一方向への回転を許容するとともに他方向への回転を阻止するワンウェイクラッチ部が形成されている。これにより、副剤注出後において、二剤混合キャップを構成する各パーツを一体化させ、通常のキャップと同様に、二剤混合キャップを一体のものとして取り扱うことが可能であり、また、上蓋を回転させる操作のみによって、副剤注出、および、容器口筒部に対する二剤混合キャップの着脱を達成することができる。また、キャップ本体に対する上蓋の取り付け構造が限定されることがないため、当該取り付け構造の設計自由度を向上することができる。
本請求項３に係る発明によれば、内側部材が、螺合部を構成する内側部材側ネジ部と、回転規制部を構成する内側部材側係合部とを有し、内側部材側ネジ部および内側部材側係合部が、上蓋に対して内側部材を最上部に配置させた状態および最下部に配置させた状態のいずれの状態でも、上蓋の上蓋側ネジ部またはキャップ本体の本体側係合部に係合するように設計されていることにより、副剤注出後であって、容器から一旦取り外された二剤混合キャップを再び容器に取り付ける際に、一方向への上蓋の回転力を、内側部材およびキャップ本体に良好に伝達することが可能であるため、容器に対する二剤混合キャップの良好な着脱性を得ることができる。
本請求項４に係る発明によれば、ワンウェイクラッチ部が、キャップ本体の外周面に凸状に形成された本体側歯部と、上蓋のスカート部の内周面に凸状に形成され本体側歯部に噛合可能な上蓋側歯部とから構成され、キャップ本体の外周面またはスカート部の内周面には、上蓋側歯部または本体側歯部の上下移動を規制する規制凸部が形成されていることにより、本体側歯部または上蓋側歯部が規制凸部を乗り越えるように、キャップ本体に対して上蓋を上方から嵌め込むという簡便かつ容易な作業でキャップ本体に対する上蓋の取り付けを達成できるとともに、キャップ本体に対する上蓋の取り付けに、ワンウェイクラッチ部としても機能する本体側歯部または上蓋側歯部を利用することで、キャップ本体および上蓋の構造を簡素化することができる。
本請求項５に係る発明によれば、キャップ本体の上面に受容凹部が形成され、内側部材に、受容凹部内に挿入される挿入部が形成され、回転規制部を構成する本体側係合部および内側部材側係合部が、受容凹部の内周面または挿入部の外周面に形成されていることにより、キャップ本体の上面より下側に回転規制部の形成位置を確保することで、キャップ本体の上面に突起部が形成されることを回避し、キャップ本体の外形を通常形状のキャップと同様に設計することが可能であるため、通常形状のキャップをハンドリングする既存装置を利用することができる。
本請求項６に係る発明によれば、上下移動する内側部材に第１シール部および第２シール部を形成することにより、内側部材を最上部に配置させた状態では、第１シール部を上蓋に接触させ、副剤収容部からの副剤の漏出を防止することができるとともに、内側部材を最下部に配置させた状態では、第２シール部をキャップ本体に接触させ、容器内容物が上蓋内へ逆流して侵入することを防止することができる。
【図面の簡単な説明】
【００１３】
【図１】本発明の一実施形態である二剤混合キャップを装着した状態の容器を示す断面図。
【図２】キャップ本体を示す斜視図および断面図。
【図３】内側部材を示す斜視図および断面図。
【図４】上蓋を示す斜視図および断面図。
【図５】図１のＡ−Ａ線位置で矢印方向に見た断面図。
【図６】容器に対する二剤混合キャップの組み付け方法を示す説明図。
【図７】副剤注出の第１、２工程を示す説明図。
【図８】副剤注出の第３、４工程を示す説明図。
【発明を実施するための形態】
【００１４】
以下に、本発明の一実施形態に係る二剤混合キャップ１０について、図面に基づいて説明する。
【００１５】
まず、本実施形態の二剤混合キャップ１０は、その内部に形成された副剤収容部５０内に副剤（添加物）を収容し、任意のタイミングで使用者が二剤混合キャップ１０を操作することで副剤を注出し、容器９０内の容器内容物に副剤を混合させることが可能なキャップである。
【００１６】
二剤混合キャップ１０は、図１に示すように、容器口筒部９１に螺合されるキャップ本体２０と、キャップ本体２０に取り付けられる上蓋３０と、上蓋３０の内側に配置される内側部材４０とから構成されている。
【００１７】
まず、キャップ本体２０の具体的構成について、図１および図２に基づいて以下に説明する。
【００１８】
キャップ本体２０は、高密度ポリエチレンや低密度ポリエチレン等から形成され、図１および図２に示すように、容器口筒部９１に装着された状態で容器口筒部９１を密閉するように構成され、略円板状の頂壁部２１と、頂壁部２１の外周縁から垂下する円筒状の周壁部２３とを備えている。
【００１９】
頂壁部２１の上面中央には、図１および図２に示すように、受容凹部２２が凹設されている。この受容凹部２２は、容器９０に対して二剤混合キャップ１０を取り付けた状態で、内側部材４０の円筒状部４５の先端（挿入部）が挿入される部位であり、受容凹部２２の底壁には、肉薄な弱化部２２ａが形成され、また、受容凹部２２の周壁の底部から頂部近辺まで延出する、複数の凸状の本体側係合部２２ｂが周方向に等間隔に形成されている。
【００２０】
頂壁部２１には、図１および図２に示すように、受容凹部２２の外周側において頂壁部２１の上面に凹設された環状のシール受容凹部２１ａと、シール受容凹部２１ａの外周側において頂壁部２１の下面から下方に突出するインナーリング２１ｂと、インナーリング２１ｂの外周側において頂壁部２１の下面から下方に突出するアウターリング２１ｃとが形成されている。
インナーリング２１ｂは、容器９０に対して二剤混合キャップ１０を取り付けた状態で、容器口筒部９１の内周面に密着し、また、アウターリング２１ｃは、容器口筒部９１の外周面に密着する。
【００２１】
周壁部２３の内周面には、図１に示すように、容器口筒部９１の外周面に形成された容器側ネジ部９２に螺合する本体側ネジ部２４が形成されている。
周壁部２３の外周面には、図２に示すように、複数の凸状の本体側歯部２５が周方向に等間隔に形成されており、また、本体側歯部２５の上下には、規制凸部２６がそれぞれ形成されている。複数の凸状の本体側歯部２５は、縦方向に上下の規制凸部２６間を繋ぐように形成されている。
【００２２】
次に、上蓋３０の具体的構成について、図１および図３に基づいて以下に説明する。
【００２３】
上蓋３０は、ポリプロピレン等から形成され、図１および図３に示すように、円板状の天面部３１と、天面部３１の外周縁から垂下する円筒状のスカート部３５とを備えている。
【００２４】
天面部３１には、図１および図３に示すように、天面部３１の下面中央から下方に向けて突出する円筒状の柱部３２と、柱部３２の外周側において天面部３１の下面から下方に向けて突出する環状壁部３３とを有している。
環状壁部３３の外周面には、上蓋側ネジ部３４が形成されている。
【００２５】
スカート部３５の内周面には、図１および図３に示すように、上側シール凸部３６と、上側シール凸部３６の下方に形成された下側シール凸部３７と、下側シール凸部３７の下方において周方向に等間隔に形成された複数の凸状の上蓋側歯部３８とが設けられている。
上側シール凸部３６は、上蓋３０に対して内側部材４０を最上部に配置させた状態で、内側部材４０の環状周壁部４２の外周面に環状に密着し、また、上側シール凸部３６および下側シール凸部３７は、内側部材４０を最下部に配置させた状態で、内側部材４０の環状周壁部４２の外周面に環状に密着する。
【００２６】
次に、内側部材４０の具体的構成について、図１および図４に基づいて以下に説明する。
【００２７】
内側部材４０は、ポリプロピレン等から形成され、図１および図４に示すように、リング状基部４１と、リング状基部４１の外周縁から上方に立ち上がる環状周壁部４２と、リング状基部４１の内周縁から上方に立ち上がる第１シールリング４３と、リング状基部４１の内周縁から下方に向けて形成されたテーパ状部４４と、テーパ状部４４の内周縁から下方に向けて形成された円筒状部４５とを備えている。
【００２８】
環状周壁部４２の内周面には、図１および図４に示すように、内側部材側ネジ部４２ａが形成されている。テーパ状部４４の外周面（下面）には、下方に向けて突起状の第２シールリング４４ａが形成されている。円筒状部４５の内周面には、内周側に突出した第３シールリング４５ａが形成され、また、円筒状部４５の外周面には、複数の凸状の内側部材側係合部４５ｂが周方向に等間隔に形成されている。
【００２９】
内側部材４０は、上蓋３０に対して内側部材４０を最上部に配置させた状態で上蓋３０に接触する第１シール部４６と、内側部材４０を最下部に配置させた状態でキャップ本体２０に接触する第２シール部４７とを有している。
第１シール部４６は、内側部材４０を最上部に配置させた状態で、後述する副剤収容部５０からの副剤の漏出を防止するものであり、また、第２シール部４７は、内側部材４０を最下部に配置させた状態、すなわち、副剤注出後に、容器９０を傾けた時等に、キャップ本体２０の受容凹部２２の内周面と内側部材４０の円筒状部４５の外周面との間の隙間から、容器内容物（副剤が混合された容器内容物）が上蓋３０内に逆流して侵入することを防止するものである。
【００３０】
本実施形態では、上蓋３０に対して内側部材４０を最上部に配置させた状態で、上蓋３０の環状壁部３３の内周面に環状に密着する第１シールリング４３と、上蓋３０の柱部３２の外周面に環状に密着する第３シールリング４５ａと、上蓋３０の上側シール凸部３６に環状に密着する環状周壁部４２とが、第１シール部４６として機能する。
また、内側部材４０を最下部に配置させた状態で、キャップ本体２０のシール受容凹部２１ａに嵌合する第２シールリング４４ａが、第２シール部４７として機能する。
なお、上述した第１シール部４６の具体的態様は上記に限定されず、内側部材４０を最上部に配置させた状態で上蓋３０に接触し、所定箇所をシールするものであれば如何なるものでもよく、また、上述した第２シール部４７の具体的態様は上記に限定されず、内側部材４０を最下部に配置させた状態でキャップ本体２０に接触し、所定箇所をシールするものであれば如何なるものでもよい。
【００３１】
次に、副剤を収容する副剤収容部５０の構成について、以下に説明する。
【００３２】
本実施形態では、図１に示すように、上蓋３０および内側部材４０によって囲まれた空間が、副剤収容部５０として機能し、具体的には、上蓋３０の天面部３１、環状壁部３３、内側部材４０の第１シールリング４３、テーパ状部４４、円筒状部４５、および第３シールリング４５ａによって画定された空間が、副剤を密閉状態で収容する副剤収容部５０として機能する。
そして、内側部材４０を下方に移動させた際は、副剤収容部５０が開放され、副剤収容部５０から副剤が注出される。なお、この副剤注出時における二剤混合キャップ１０の具体的態様については、後述する。
【００３３】
次に、二剤混合キャップ１０の各構成部材間に形成されるキャップ一体化機構１００を構成する螺合部６０、回転規制部７０、およびワンウェイクラッチ部８０について、以下に説明する。
【００３４】
キャップ一体化機構１００は、上蓋３０を一方向に回転させた時に上蓋３０に対して内側部材４０を下方に移動させ、かつ、上蓋３０に対して内側部材４０を下方に移動させた状態で上蓋３０を他方向に回転させた時に、キャップ本体２０と内側部材４０と上蓋３０とを一体化させ、容器口筒部９１から二剤混合キャップ１０を取り外すことを可能にするとともに、上蓋３０に対して内側部材４０を下方に移動させた状態で、上蓋３０を一方向に回転させた時に、キャップ本体２０と内側部材４０と上蓋３０とを一体化させ、容器口筒部９１に対して二剤混合キャップ１０を取り付けることを可能にするものである。
なお、キャップ一体化機構１００の具体的態様は、後述する螺合部６０、回転規制部７０、およびワンウェイクラッチ部８０によって構成されるものに限定されず、上記を実現するものであれば如何なるものでもよい。
【００３５】
まず、上蓋３０と内側部材４０との間には、内側部材４０に対して上蓋３０を閉方向（一方向、本実施形態では時計回り方向）に回転させた時に、上蓋３０に対して内側部材４０を下方に移動させるように設計された螺合部６０が形成されている。
この螺合部６０は、図１に示すように、上蓋３０の上蓋側ネジ部３４と内側部材４０の内側部材側ネジ部４２ａとから構成されている。
内側部材側ネジ部４２ａは、上蓋３０に対して内側部材４０を最上部に配置させた状態および最下部に配置させた状態のいずれの状態でも、上蓋側ネジ部３４に係合する上下寸法で設計されている。
【００３６】
また、キャップ本体２０と内側部材４０との間には、キャップ本体２０に対する内側部材４０の閉方向への回転を規制する回転規制部７０が形成されている。
この回転規制部７０は、図１や図５に示すように、キャップ本体２０の本体側係合部２２ｂと内側部材４０の内側部材側係合部４５ｂとから構成されている。
内側部材側係合部４５ｂは、上蓋３０に対して内側部材４０を最上部に配置させた状態および最下部に配置させた状態のいずれの状態でも、本体側係合部２２ｂに係合する上下寸法で設計されている。
【００３７】
また、上蓋３０とキャップ本体２０との間には、キャップ本体２０に対する上蓋３０の閉方向への回転を許容するとともに、開方向（他方向、本実施形態では反時計回り方向）への回転を阻止するワンウェイクラッチ部８０が形成されている。
このワンウェイクラッチ部８０は、図１や図５に示すように、上蓋３０の上蓋側歯部３８とキャップ本体２０の本体側歯部２５とから構成されている。
【００３８】
次に、容器９０に対する二剤混合キャップ１０の組み付け方法について、図６に基づいて以下に説明する。
【００３９】
まず、図６に示すように、上蓋３０の天面部３１側を下側に向けた状態で、天面部３１および環状壁部３３によって画定された凹部に副剤を注入した後、上蓋３０に対して内側部材４０を取り付ける。
【００４０】
一方、容器９０内に容器内容物を注入した後、容器口筒部９１にキャップ本体２０を取り付ける。
【００４１】
最後に、上蓋３０の上蓋側歯部３８がキャップ本体２０の本体側歯部２５の上側の規制凸部２６を乗り越えるように、キャップ本体２０に対して上蓋３０を上方から嵌め込むことにより、キャップ本体２０に対して上蓋３０および内側部材４０からなるキャップユニットを取り付ける。
【００４２】
次に、副剤の注出方法について、図７および図８に基づいて以下に説明する。
【００４３】
まず、図７（ａ）に示すように、上蓋３０に対して内側部材４０を最上部に配置させた状態から、図７（ｂ）に示すように、上蓋３０を閉方向に回転させる。
すると、キャップ本体２０に対する内側部材４０の閉方向への回転を規制する回転規制部７０と、内側部材４０に対して上蓋３０を閉方向に回転させた時に上蓋３０に対して内側部材４０を下方に移動させるように設計された螺合部６０とによって、内側部材４０が下方に向けて移動する。なお、この時、上蓋３０の上下位置は、変動しない。
【００４４】
次に、図７（ｂ）〜図８（ｄ）に示すように、内側部材４０を下方に向けて移動させると、内側部材４０の円筒状部４５によってキャップ本体２０の弱化部２２ａが破られるとともに受容凹部２２の底壁が押されて下方に移動し、また、第１シール部４６として機能していた第３シールリング４５ａについても下方に移動し、円筒状部４５の内周面および上蓋３０の柱部３２の外周面の間に副剤注出経路が形成され、容器９０内に副剤が注出される。
【００４５】
次に、副剤注出後における容器９０に対する二剤混合キャップ１０の着脱方法について以下に説明する。
【００４６】
まず、副剤注出後において、容器９０から二剤混合キャップ１０を取り外す際には、通常のキャップと同様に、上蓋３０を開方向に回転させる。
すると、ワンウェイクラッチ部８０によって、キャップ本体２０と上蓋３０との相対的な回転が阻止されるため、上蓋３０と共にキャップ本体２０が開方向に回転し、また、回転規制部７０によって、キャップ本体２０と内側部材４０との相対的な回転が阻止されるため、キャップ本体２０と共に内側部材４０が開方向に回転する。これにより、キャップ本体２０と上蓋３０と内側部材４０とが一体として開方向に回転し、キャップ本体２０の本体側ネジ部２４と容器９０の容器側ネジ部９２との間の係合が解除され、容器９０から二剤混合キャップ１０が取り外される。
【００４７】
なお、副剤注出前の状態で、容器９０から二剤混合キャップ１０を取り外す方法についても、上記と同様である。
【００４８】
また、副剤注出後において、容器９０に対して二剤混合キャップ１０を取り付ける際には、通常のキャップと同様に、上蓋３０を閉方向に回転させる。
すると、内側部材４０が最下部に下がりきった状態であることから、上蓋３０の回転力が内側部材４０に伝達され、上蓋３０と共に内側部材４０が閉方向に回転し、また、回転規制部７０によって、キャップ本体２０と内側部材４０との相対的な回転が阻止されるため、内側部材４０と共にキャップ本体２０が閉方向に回転する。これにより、キャップ本体２０と上蓋３０と内側部材４０とが一体として閉方向に回転して、キャップ本体２０の本体側ネジ部２４と容器９０の容器側ネジ部９２とが係合し、容器９０に対して二剤混合キャップ１０が取り付けられる。
【００４９】
以上、本発明の実施形態を詳述したが、本発明は上記実施形態に限定されるものではなく、特許請求の範囲に記載された本発明を逸脱することなく種々の設計変更を行なうことが可能である。
【００５０】
例えば、本発明が対象とする副剤の具体的態様は、固体状のものや液体状のもの等、如何なるものでもよく、また、容器内容物についても、固体状のものや液体状のもの等、如何なるものでもよい。
また、上述した実施形態では、副剤を収容する副剤収容部が上蓋および内側部材によって構成されるものとして説明したが、副剤収容部の具体的な態様は、これに限定されず、例えば、特開２００３−２９２０１３号公報に記載の二剤混合キャップのように、上蓋や内側部材やキャップ本体とは別に、内側部材や上蓋によって保持されるサブ容器を設け、このサブ容器を副剤収容部として利用してもよい。
また、上述した実施形態では、副剤注出時に、上蓋に対して内側部材を相対的に移動させることで、上蓋と内側部材との間に構成された副剤収容部を開放するものとして説明したが、副剤注出の具体的方法は、上蓋に対して内側部材を下方に移動させることを利用して、副剤収容部に収容された副剤を注出するものであれば如何なるものでもよく、例えば、特開２００３−２９２０１３号公報に記載の二剤混合キャップのように、キャップ本体の上面にカッターを設け、内側部材の下方への移動時に、当該カッターによって内側部材に保持されたサブ容器を破断するように構成してもよい。
また、上述した実施形態では、上蓋側歯部の上下移動を規制する規制凸部をキャップ本体に形成したが、反対に、本体側歯部の上下移動を規制する規制凸部を上蓋に形成してもよい。
また、上述した実施形態では、回転規制部が、凸状に形成された本体側係合部および内側部材側係合部から構成されるものとして説明したが、回転規制部の具体的態様は、キャップ本体に対する内側部材の閉方向への回転を規制するものであれば如何なるものでもよい。
また、上述した実施形態では、ワンウェイクラッチ部が、凸状に形成された上蓋側歯部および本体側歯部から構成されるものとして説明したが、ワンウェイクラッチ部の具体的態様は、キャップ本体に対する上蓋の閉方向への回転を許容するとともに開方向への回転を阻止するものであれば如何なるものでもよい。
【符号の説明】
【００５１】
１０    ・・・  二剤混合キャップ
２０    ・・・  キャップ本体
２１    ・・・  頂壁部
２１ａ  ・・・  シール受容凹部
２１ｂ  ・・・  インナーリング
２１ｃ  ・・・  アウターリング
２２    ・・・  受容凹部
２２ａ  ・・・  弱化部
２２ｂ  ・・・  本体側係合部
２３    ・・・  周壁部
２４    ・・・  本体側ネジ部
２５    ・・・  本体側歯部
２６    ・・・  規制凸部
３０    ・・・  上蓋
３１    ・・・  天面部
３２    ・・・  柱部
３３    ・・・  環状壁部
３４    ・・・  上蓋側ネジ部
３５    ・・・  スカート部
３６    ・・・  上側シール凸部
３７    ・・・  下側シール凸部
３８    ・・・  上蓋側歯部
４０    ・・・  内側部材
４１    ・・・  リング状基部
４２    ・・・  環状周壁部（第１シール部、第２シール部）
４２ａ  ・・・  内側部材側ネジ部
４３    ・・・  第１シールリング（第１シール部）
４４    ・・・  テーパ状部
４４ａ  ・・・  第２シールリング（第２シール部）
４５    ・・・  円筒状部（挿入部）
４５ａ  ・・・  第３シールリング（第１シール部）
４５ｂ  ・・・  内側部材側係合部
４６    ・・・  第１シール部
４７    ・・・  第２シール部
５０    ・・・  副剤収容部
６０    ・・・  螺合部
７０    ・・・  回転規制部
８０    ・・・  ワンウェイクラッチ部
９０    ・・・  容器
９１    ・・・  容器口筒部
９２    ・・・  容器側ネジ部
１００  ・・・  キャップ一体化機構
【図１】
0006422717.tif 000002
【図２】
0006422717.tif 000003
【図３】
0006422717.tif 000004
【図４】
0006422717.tif 000005
【図５】
0006422717.tif 000006
【図６】
0006422717.tif 000007
【図７】
0006422717.tif 000008
【図８】
0006422717.tif 000009